(57)【特許請求の範囲】
【請求項１】
複数の行信号線と、複数の列信号線と、上記複数の行信号線と上記複数の列信号線との交点に配置された複数のＬＥＤランプとを有するＬＥＤパネルの複数の列信号線のそれぞれに所定の駆動電流を供給するためのＬＥＤドライバであって、
駆動データが供給されるデータ入力端子と、
第１クロック信号が供給される第１クロック入力端子と、
上記第１クロック信号に応じて上記データ入力端子に供給される駆動データを順次にシフトするシフトレジスタと、
上記シフトレジスタから出力される駆動データを次段に供給するためのデータ出力端子と、
ラッチ信号が供給されるラッチ信号入力端子と、
上記ラッチ信号に応じて上記シフトレジスタに記憶されている複数の駆動データを保持するデータラッチと、
駆動電流を供給するための複数の駆動電流供給端子と、
上記複数の駆動電流供給端子に対して駆動電流をそれぞれ供給する複数の駆動回路と、
上記複数の駆動回路の駆動電流の供給の可否を制御するための駆動制御信号が供給される駆動制御信号入力端子と、
上記駆動制御信号に対して第１の遅延を与える第１遅延回路と、
上記第１遅延回路から出力される遅延駆動制御信号を次段に供給するための駆動制御信号出力端子と、
第２クロック信号が供給される第２クロック入力端子と、
上記第２クロック信号に対して第２の遅延を与える第２遅延回路と、
上記第２遅延回路から出力される遅延第２クロック信号を次段に供給するための第２クロック信号出力端子と、
上記第２クロック信号のパルス数をカウントするパルスカウンタと、
上記パルスカウンタのカウント値と上記ラッチ回路に保持されている複数の駆動データとを比較する比較回路と、
を有し、
上記駆動制御信号と上記比較回路における比較結果とに応じて上記複数の駆動回路の駆動電流の供給が制御されるＬＥＤドライバ。
【請求項２】
上記第１の遅延と上記第２の遅延の遅延時間が同じである請求項１に記載のＬＥＤドライバ。
【発明の詳細な説明】
【０００１】
【発明の属する技術分野】
本発明は、ＬＥＤ表示装置の分野にかかり、特にダイナミック表示方式を改良したＬＥＤパネル表示技術に関する。
【０００２】
【従来の技術】
ＬＥＤ表示装置は、多数のＬＥＤランプが配置されたＬＥＤパネルを複数個使用して、各ＬＥＤパネルに所望の文字や図形を映す表示装置である。通常は１個のＬＥＤランプが文字や図形の１つのドットに対応することから、ドットマトリックスＬＥＤとも呼ばれている。
そのようなＬＥＤパネル内のＬＥＤランプを点灯させる方法には、大きく分けてスタティック表示方式とダイナミック表示方式とがある。
【０００３】
スタティック表示方式は、１個のＬＥＤランプに１個のＬＥＤドライバを対応させる方式であり、点灯時にはＬＥＤランプに通電し続けて発光させるため、表示のコントロールは簡単ではあるが、ＬＥＤランプの数だけＬＥＤドライバを必要とし、駆動回路の規模が大きくなるのが欠点である。
【０００４】
他方、ダイナミック表示方式は、１個のＬＥＤドライバで複数個のＬＥＤランプを点灯させる方式であり、ＬＥＤドライバが点灯すべきＬＥＤランプに時分割で通電し、短い周期で点灯と消灯とを繰り返させ、人間の目の残像現象によって常時点灯しているように見せかける方式である。このダイナミック表示方式ではＬＥＤドライバの数が少なくて済み、ＬＥＤランプ駆動装置が安価になることから近年主流になっている。
【０００５】
そのダイナミック表示方式でＬＥＤを点灯させる従来技術を説明する。図５の符号１０２は、その従来技術のＬＥＤ表示装置であり、この図５では、複数のＬＥＤパネルのうち、２つのＬＥＤパネル１１５1と１１５2だけを示すものとする。
【０００６】
各ＬＥＤパネル１１５1、１１５2は、ｎ本の行信号線(ＬＩＮＥ1〜ＬＩＮＥn)と、ｍ本の列信号線(ＲＯＷ1〜ＲＯＷm)とを有しており、ｎ×ｍ個のＬＥＤランプがマトリックス状に配置されている。従って、それらのうちから１本の行信号線と１本の列信号線とを選択するとｎ×ｍ個のＬＥＤランプのうちから１個のＬＥＤランプを特定することができる。各ＬＥＤランプは、アノードが行信号線に、カソードが列信号線に接続されており、行信号線と列信号線の間に所定の電圧を印加するとＬＥＤランプに通電することができる。
【０００７】
このＬＥＤパネル１１５1、１１５2には、コモンドライバ１１６1、１１６2と定電流セグメントドライバ１１３1、１１３2とが設けられており、ＬＥＤパネル１１５1、１１５2の各ｎ本の行信号線は、コモンドライバ１１６1、１１６2の出力端子にそれぞれ接続されている。また、各ｍ本の列信号線は、定電流セグメントドライバ１１３1、１１３2の出力端子にそれぞれ接続されている。
【０００８】
定電流セグメントドライバ１１３1、１１３2には、ＬＥＤドライバ１２４1、１２４2と、データラッチ１２５1、１２５2と、シフトレジスタ１２６1、１２６2とがそれぞれ設けられており、各ＬＥＤドライバ１２４1、１２４2は、各ＬＥＤパネル１１５1、１１５2の列信号線ＲＯＷ1〜ＲＯＷmのうちからデータラッチ１２５1、１２５2内の記憶データの示すものを選択し、それらの列信号線から定電流をシンクできる状態にする。
【０００９】
ＬＥＤドライバ１２４1、１２４2による列信号線の選択に際しては、まずＢＬＡＮＫ信号は消灯モードにされており、コモンドライバ１１６1、１１６2が、各ＬＥＤパネル１１５1、１１５2の行信号線ＬＩＮＥ1〜ＬＩＮＥnのうちから、入力されたＬＩＮＥＳＥＬ0〜ＬＩＮＥＳＥＬk信号の示すもの１本を選択し、電源電圧ラインＬＥＤＶccに接続する。そして、ＢＬＡＮＫ信号が点灯モードに切り替えられると、電源電圧ラインＬＥＤＶccに接続されている行信号線に接続されているＬＥＤランプのうちの、ＬＥＤドライバ１２４1、１２４2により選択された列信号線に接続されているものに一斉に通電される。
【００１０】
所定の通電時間が経過した後、ＢＬＡＮＫ信号が消灯モードになると、ＬＥＤランプへの通電は一斉に停止される。
【００１１】
次に、データラッチ１２５1、１２５2内の記憶データを更新し、ＬＥＤドライバ１２４1、１２４2による新しい列信号線の選択に際しては、コモンドライバ１１６1、１１６2に入力された新しいＬＩＮＥＳＥＬ0〜ＬＩＮＥＳＥＬk信号によって別の行信号線が電源電圧ラインＬＥＤＶccに接続された後、ＢＬＡＮＫ信号が点灯モードにされ、その行信号線に接続されているＬＥＤランプのうちの、ＬＥＤドライバ１２４1、１２４2により選択された列信号線に通電される。
【００１２】
そのような行信号線の接続の切り替えと列信号線での選択を繰り返し行い、点灯させたいＬＥＤランプへ繰り返し通電させると、そのＬＥＤランプを常時点灯しているように見せかけることができる。
【００１３】
しかしながら、このようなダイナミック表示方式では、ＢＬＡＮＫ信号の切り替わりにより、多数のＬＥＤランプへの通電が一斉に開始され、また一斉に終了するので、ＬＥＤ表示装置全体に流れる電流値の変化量が大きい。特に、近年盛んに用いられるようになってきた大画面のＬＥＤ表示装置では、非常に多くのＬＥＤランプが一斉に通電されたり、一斉に通電を停止されたりするので、その電流変化量は非常に大きな値となる。
【００１４】
そのような大きな電流変化は、電源や配線に負担をかけるばかりでなく、特に、通電の開始及び停止を行う際に、配線のインダクタンス成分によって電圧変動が生じ、ノイズが発生してしまう。そのようなノイズの発生は、周辺の電子回路機器に悪影響を与えるばかりでなく、ＬＥＤ駆動回路内にノイズが侵入した場合には、データラッチ１２５1、１２５2内の記憶データーが書き換えられ、表示が乱れてしまう等の問題があり、その解決が望まれていた。
【００１５】
【発明が解決しようとする課題】
本発明は上記従来技術の不都合を解決するために創作されたもので、その目的は、ＬＥＤランプへの通電開始時や通電停止時の電流変化量を小さくすることにある。
【００１６】
【課題を解決するための手段】
上記課題を解決するために、本発明のＬＥＤドライバは、複数の行信号線と、複数の列信号線と、上記複数の行信号線と上記複数の列信号線との交点に配置された複数のＬＥＤランプとを有するＬＥＤパネルの複数の列信号線のそれぞれに所定の駆動電流を供給するためのＬＥＤドライバであって、駆動データが供給されるデータ入力端子と、第１クロック信号が供給される第１クロック入力端子と、上記第１クロック信号に応じて上記データ入力端子に供給される駆動データを順次にシフトするシフトレジスタと、上記シフトレジスタから出力される駆動データを次段に供給するためのデータ出力端子と、ラッチ信号が供給されるラッチ信号入力端子と、上記ラッチ信号に応じて上記シフトレジスタに記憶されている複数の駆動データを保持するデータラッチと、駆動電流を供給するための複数の駆動電流供給端子と、上記複数の駆動電流供給端子に対して駆動電流をそれぞれ供給する複数の駆動回路と、上記複数の駆動回路の駆動電流の供給の可否を制御するための駆動制御信号が供給される駆動制御信号入力端子と、上記駆動制御信号に対して第１の遅延を与える第１遅延回路と、上記第１遅延回路から出力される遅延駆動制御信号を次段に供給するための駆動制御信号出力端子と、第２クロック信号が供給される第２クロック入力端子と、上記第２クロック信号に対して第２の遅延を与える第２遅延回路と、上記第２遅延回路から出力される遅延第２クロック信号を次段に供給するための第２クロック信号出力端子と、上記第２クロック信号のパルス数をカウントするパルスカウンタと、上記パルスカウンタのカウント値と上記ラッチ回路に保持されている複数の駆動データとを比較する比較回路とを有し、上記駆動制御信号と上記比較回路における比較結果とに応じて上記複数の駆動回路の駆動電流の供給が制御されることが好ましい。
【００１７】
更には、上記第１の遅延と上記第２の遅延の遅延時間が同じであることが好ましい。
【００１８】
このような本発明の構成によれば、ＬＥＤランプがマトリックス状に配置されたＬＥＤパネルを複数設けてその駆動回路と共にＬＥＤ表示装置を構成し、各ＬＥＤランプを点灯させる場合に、ＬＥＤパネル内で所定期間点灯すべきＬＥＤランプのうち、所望位置にあるＬＥＤランプを一個以上選択し、順次間欠的に通電させると、ダイナミック表示方式によってＬＥＤ表示装置を動作させることができる。
【００１９】
そのダイナミック表示方式を行う際、選択したＬＥＤランプへ通電する時期を、各ＬＥＤパネル間で異ならせると、通電開始と通電停止の時期がＬＥＤパネル間で少しずづずれ、ＬＥＤ表示装置全体での電流変化量が小さくなるので、電源や配線の負担が少なくなり、また、ノイズを減少させることができる。
【００２０】
ＬＥＤランプへの通電開始と通電終了とが、ＬＥＤランプの点灯状態を指示する信号に従って行われる場合に、通電時期を各ＬＥＤパネル間で異ならせるためには、そのＬＥＤランプの点灯状態を指示する信号が、前段のＬＥＤパネルから後段のＬＥＤパネルへ向けて、所定の遅延時間だけ、順次遅れて伝達されるようにしておくとよい。
【００２１】
更に、所望位置のＬＥＤランプの選択が記憶データに基いて行われる場合に、その記憶データが、更新時期を示す信号が入力されたときに書き換えられるときには、その更新時期を示す信号を、前段のＬＥＤパネルから後段のＬＥＤパネルへ向けて所定の遅延時間だけ順次遅れて伝達されるようにしておくと、記憶データの更新時期の遅延時間と、ＬＥＤランプの通電時期の遅延時間とを一致させることが可能となる。
【００２２】
他方、一つパネル内のＬＥＤランプ間で、選択されたＬＥＤランプに通電する時期が異なるようにしても、ＬＥＤパネル全体での電流変化量を小さくすることができる。この場合も、ＬＥＤランプへの通電開始と通電停止とが、ＬＥＤランプの点灯状態を指示する信号に従って行われていれば、一つのＬＥＤパネル内のＬＥＤランプ間で、その信号を順次遅れて伝達させることで、ＬＥＤランプに通電する時期を異ならせることができる。
【００２３】
【発明の実施の形態】
本発明装置の実施の形態を、本発明方法と共に図面を用いて説明する。
一般に、ＬＥＤ表示装置は、多数のＬＥＤパネルと、各ＬＥＤパネルをそれぞれ動作させる複数の半導体デバイスとで構成されているが、図１の符号１２で示すＬＥＤ表示装置は、それらのうちの２枚のＬＥＤパネル１５1、１５2と、それらを各々駆動する半導体デバイスとが示されているものとする。
【００２４】
各ＬＥＤパネル１５1、１５2内には、ｎ本の行信号線(ＬＩＮＥ1〜ＬＩＮＥn)と、ｍ本の列信号線(ＲＯＷ1〜ＲＯＷm)とがそれぞれ設けられており、また、各ＬＥＤパネル１５1、１５2内には、符号１７で示すＬＥＤランプがｎ×ｍ個ずつマトリックス状に配置されている。
【００２５】
それらのＬＥＤランプ１７は、そのアノードが行信号線に、カソードが列信号線にそれぞれ接続されており、ＬＥＤパネル１５1、１５2内の行信号線と列信号線とが各１本選択されると、ＬＥＤランプがそれぞれ１個特定できるように構成されている。
【００２６】
各ＬＥＤパネル１５1、１５2を駆動する半導体デバイスには、コモンドライバ１６1、１６2と、定電流セグメントドライバ１３1、１３2とがあり、前記各行信号線ＬＩＮＥ1〜ＬＩＮＥnはコモンドライバ１６1、１６2のｎ個の出力端子に接続され、また、前記各列信号線ＲＯＷ1〜ＲＯＷmは定電流セグメントドライバ１３1、１３2のｍ個の出力端子に接続されている。
【００２７】
各コモンドライバ１６1、１６2には、ＬＩＮＥＳＥＬ0信号〜ＬＩＮＥＳＥＬk信号から成るパラレル信号が入力されており、そのパラレル信号の内容を内蔵のデコーダーによって解釈し、各ＬＥＤパネル１５1、１５2内の行信号線ＬＩＮＥ1〜ＬＩＮＥnのうちから指定されたものを選択し、その指定された行信号線を電源電圧ラインＬＥＤＶccに接続するように構成されている。
【００２８】
他方、定電流セグメントドライバ１３1、１３2には、ＬＥＤドライバ２４1、２４2と、データラッチ２５1、２５2と、シフトレジスタ２６1、２６2とがそれぞれ内蔵されており、ＬＥＤドライバ２４1、２４2のｍ個の入力端子はデータラッチ２５1、２５2のｍ個の出力端子に個別に接続され、更に、そのデータラッチ２５1、２５2のｍ個の入力端子はシフトレジスタ２６1、２６2のｍ個の出力端子に個別に接続されている。
【００２９】
各シフトレジスタ２６1、２６2内の記憶データは、入力されたＳＣＬＫ信号が示す周期でシフトされ、オーバーフローしたデータはＤＡＴＡＯＵＴ信号となって出力され、入力されるＤＡＴＡＩＮ信号は、各シフトレジスタ２６1、２６2内の記憶データの最下位部分(図１においては左端)に取り込まれるように構成されているが、このＬＥＤランプ表示装置１２では、図示しない定電流セグメントドライバも含めて、全ての定電流セグメントドライバは直列に接続されており、前段の定電流セグメントドライバ１３1内のシフトレジスタ２６1が出力するＤＡＴＡＯＵＴ信号は、後段の定電流セグメントドライバ１３2内のシフトレジスタ２６2のＤＡＴＡＩＮ信号として入力されている。そしてまた、その後段のシフトレジスタ２６2が出力するＤＡＴＡＯＵＴ信号は、更に後段の定電流セグメントドライバ内のシフトレジスタのＤＡＴＡＩＮ信号として入力されるように順番に接続されている。
【００３０】
最前段のシフトレジスタ２６1には外部からＤＡＴＡＩＮ信号が入力され、前段のシフトレジスタから後段のシフトレジスタへ向けて、順次データの転送が行われると、各定電流セグメントドライバ内のシフトレジスタの記憶データは、ＳＣＬＫ信号の周期に従って、前段から後段へ向けて順次転送される。
【００３１】
このような各シフトレジスタ２６1、２６2のシフト動作が終了した後、各データラッチ２５1、２５2にＬＡＴ信号が入力されると、シフトレジスタ２６1、２６2内の記憶データがデータラッチ２５1、２５2にそれぞれ複写され、各データラッチ２５1、２５2の記憶データが更新される。
【００３２】
このとき、ＬＡＴ信号は、先ず最前段のデータラッチ２５1に入力され、データディレイ２a1によって所定の遅延時間遅れて後段のデータラッチ２５2に出力され、後段のデータラッチ２５2の記憶データは前段のデータラッチ２５1よりも遅れて更新される。
【００３３】
また、後段のデータラッチ２５2は、所定の遅延時間遅れて入力されたＬＡＴ信号を、データディレイ２a2を介して更に後段のデータラッチに出力する。従って、データディレイによって、前段のデータラッチから後段のデータラッチへ向けてＬＡＴ信号が所定の遅延時間だけ順次遅れて伝達されるので、各データラッチ内の記憶データは前段から後段へ向けて順番に更新される。
【００３４】
各データラッチ２５1、２５2内の更新された記憶データはＬＥＤドライバ２４1、２４2に入力されるが、各ＬＥＤドライバ２４1、２４2内には、ＬＥＤパネル１５1、１５2内の列信号線ＲＯＷ1〜ＲＯＷmにそれぞれ接続されたｍ個の定電流回路が設けられており、入力された記憶データに応じ、通電すべきＬＥＤランプが接続された列信号線を選択し、その列信号線に接続された定電流回路を個別に動作できる状態に置く。
【００３５】
その定電流回路は、各ＬＥＤドライバ２４1、２４2に入力されたＢＬＡＮＫ信号が点灯モードを示しているときだけ動作でき、コモンドライバ１６1、１６2を介して電源電圧ラインＬＥＤＶccに接続されているＬＥＤランプから、各ＬＥＤドライバ２４1、２４2のＩＲＥＦ端子に入力された信号の値に応じた大きさの定電流を流すように構成されている。
【００３６】
他方、各定電流回路は、ＢＬＡＮＫ信号が消灯モードを示しているときには動作できないように構成されている。従って、ＢＬＡＮＫ信号が点灯モードを示しているときにだけ所望にＬＥＤランプに通電することができ、消灯モードを示しているときにはいずれのＬＥＤランプへも通電できない。
【００３７】
このＬＥＤ表示装置１２を動作させるための外部回路(図示せず)は、最前段のＬＥＤドライバ２４1に消灯モードを示すＢＬＡＮＫ信号を出力してＬＥＤランプへの通電を停止させた後、最前段のデータラッチ２５1にＬＡＴ信号を出力し、記憶データの更新を行わせる。
【００３８】
前述したような、各コモンドライバ１６1、１６2による、行信号線の電源電圧ラインＬＥＤＶccへの接続は、各定電流セグメントドライバ１３1、１３2へ入力されるＢＬＡＮＫ信号が消灯モードを示している間に行われる。
【００３９】
その状態から、最前段のＬＥＤドライバ２４1に入力されているＢＬＡＮＫ信号が点灯モードに切り替わると、先ず、最前段のＬＥＤパネル１５1内で、電源電圧ラインＬＥＤＶccに接続された一本の行信号線と選択された複数の列信号線との間に接続されたＬＥＤランプに通電される。
【００４０】
前段のＬＥＤドライバ２４1に入力されたＢＬＡＮＫ信号は、データディレイ２b1を介して後段のＬＥＤドライバ２４2に出力されており、ＢＬＡＮＫ信号は、そのデータディレイ２b1の定める所定の遅延時間だけ遅れて後段のＬＥＤドライバ２４2に伝達される。更に、その後段のＬＥＤドライバ２４2に入力されたＢＬＡＮＫ信号は、データディレイ２b2を介して、より後段のＬＥＤドライバに出力されている。
【００４１】
このように、ＢＬＡＮＫ信号の状態変化は、前段のＬＥＤドライバから後段のＬＥＤドライバに向けて順番に伝達されるので、各ＬＥＤパネル内のＬＥＤランプへの通電は、ＬＥＤパネル毎に順番に開始される。従って、ＬＥＤ表示装置１２全体では通電開始時の電流変化が小さくなる。
【００４２】
そして、所定の通電時間が経過の後、最前段のＬＥＤドライバ２４1に入力されるＢＬＡＮＫ信号が点灯モードから消灯モードに切り替わると、そのＢＬＡＮＫ信号は、データディレイ２b1によって、後段のＬＥＤドライバへ向けて、所定の遅延時間だけ順次遅れて伝達され、各ＬＥＤパネル内のＬＥＤランプへの通電は、ＬＥＤパネル毎に順番に終了する。従って、通電開始時と同様に、ＬＥＤ表示装置１２全体での通電終了時の電流変化が小さくて済む。
【００４３】
ＢＬＡＮＫ信号が消灯モードから点灯モードに切り替わる前に、各コモンドライバ１６1は、次に通電すべきＬＥＤランプが設けられた行信号線を電源電圧ラインＬＥＤＶccに接続している。最前段のＬＥＤドライバ２４1についても、ＢＬＡＮＫ信号が消灯モードのうちに、点灯すべきＬＥＤランプのうち、コモンドライバ１６1が選択した行信号線に設けられたＬＥＤランプに通電するための列信号線を特定しておき、ＢＬＡＮＫ信号が点灯モードに切り替わったときにその列信号線に接続された定電流回路を動作させ、ＬＥＤランプへの通電を開始する。
【００４４】
以上のような動作を繰り返し行い、データラッチ２５1内の記憶データとＬＩＮＥＳＥＬ0〜ＬＩＮＥＳＥＬk信号によって特定されるＬＥＤランプへ所定周期で繰り返し通電して点灯させた後、シフトレジスタ２６1、２６2のシフト動作が行われ、次いで、最前段の前段のデータラッチ２５1にＬＡＴ信号が入力されると、該データラッチ２５1内の記憶データの更新が行われる。
【００４５】
そのデータラッチ２５1に入力されたＬＡＴ信号は、データディレイ２a1によって所定の遅延時間だけ遅れて後段のデータラッチ２５2に出力されており、その後段データラッチ２５2に入力されたＬＡＴ信号は、データディレイ２a2によって、更に後段のデータラッチに所定の遅延時間だけ遅れて入力されている。
【００４６】
このように、前段から後段のデータラッチへ向けて、ＢＬＡＮＫ信号と同じ遅延時間だけＬＡＴ信号が順次遅れて伝達されるので、各定電流セグメントドライバに入力されるＬＡＴ信号とＢＬＡＮＫ信号との間の間隔は同じになり、定電流セグメントドライバが誤動作することはない。
【００４７】
以上説明したように、ＬＥＤパネル毎に通電が開始され、また終了するので、点灯すべきＬＥＤランプに対して所定周期で同じ大きさの定電流を流して各ＬＥＤランプが同じ輝度で常時点灯しているように見せる場合に、ＬＥＤ表示装置全体では小さい電流変化量で済むようになっている。従って、電源の負担が少なく、また、発生するノイズも小さい。データディレイによる遅延時間は人間の感覚に比べて短いので、実用上は問題がない。
【００４８】
この実施例の定電流セグメントドライバ１３1、１３2は、データディレイを内蔵しておらず、外付のデータディレイ２a1〜２b2を用いたが、それらは定電流セグメントドライバに内蔵させてもよい。
【００４９】
そのデータディレイ内蔵の定電流セグメントドライバを、図２の符号５３1〜５３jで示すと、各定電流セグメントドライバ５３1〜５３jには、入力されたＢＬＡＮＫ信号とＬＡＴ信号を同じ遅延時間だけ遅らせて出力する端子(ＬＡＴＤＬＹ端子、ＢＬＫＤＬＹ端子)を設けておき、各定電流セグメントドライバを直列接続するとよい。
【００５０】
また、定電流セグメントドライバにデータディレイを内蔵させる場合は、図３に示すように、ｍ本の列信号線に対するデータラッチ３５1〜３５mと、各列信号線から個別に定電流を吸い込むｍ個の定電流回路３４1〜３４mとに対し、データディレイ３２a1〜３２am、３２b1〜３２bmとを１個ずつ設けて、データラッチ３５1〜３５mと定電流回路３４1〜３４mのそれぞれについて順番に、ＬＡＴ信号とＢＬＡＮＫ信号とが所定の遅延時間だけ順次遅れて伝達されるようにしておけば、各列信号線に接続されたＬＥＤランプに、順番に通電を開始でき、また通電を終了できる。この場合も電流変化を小さくすることが可能となる。
【００５１】
その定電流セグメントドライバ２３の間に外付のデータディレイを設けるとＬＥＤ表示装置全部のＬＥＤランプの通電時期を異ならせることが可能となる。
【００５２】
また、その定電流セグメントドライバ２３内の最後段のデータディレイ３２am、３２bmから遅延されたＬＡＴ信号とＢＬＡＮＫ信号とを取り出し、後段の定電流セグメントドライバのＬＡＴ信号とＢＬＡＮＫ信号として入力させてもＬＥＤ表示装置全部のＬＥＤランプの通電時期を異ならせることが可能となる。
【００５３】
次に、本発明を階調付きの駆動電流供給回路に応用した場合を説明する。
図４の符号４３は、その階調付き駆動電流供給回路である定電流セグメントドライバを示しており、シフトレジスタ４６と、データラッチ４５と、コンパレータ５２と、データレジスタ５３と、ＬＥＤドライバ４４とが、この順で信号伝達がされるようにして内蔵されている。
【００５４】
シフトレジスタ４６には、上記実施例と同様に、ＤＡＴＡＩＮ信号とＳＣＬＫ信号とが入力されており、該シフトレジスタ４６内の記憶データのシフトによりオーバーフローしたデータは、ＤＡＴＡＯＵＴ信号として出力されるように構成されている。また、上記実施例と同様に、データラッチ４５は、ＬＡＴ信号が入力されたときに、該データラッチ４５内の記憶データをシフトレジスタ内の記憶データで更新するように構成されている。
【００５５】
ＬＥＤドライバ４４にはＢＬＡＮＫ信号とＩＲＥＦ信号とが入力されており、データレジスタ５３内の記憶データに従って出力端子ＯＵＴ1〜ＯＵＴmに接続された列信号線を選択し、ＢＬＡＮＫ信号が点灯モードを示すときに、その列信号線からＩＲＥＦ端子に入力される信号に応じた定電流を吸い込むように構成されている。
【００５６】
そのデータレジスタ５３にはＧＳＣＬＫ信号が入力されており、また、コンパレータ５２には、パルスカウンタ５１で計数された該ＧＳＣＬＫ信号のパルス数が入力されている。そのコンパレータ５２は、パルスカウンタ５１から入力されたパルス数とデータラッチ４５内の記憶データとを比較して、その比較結果に基づいてデータレジスタ５３を制御する。
【００５７】
データレジスタ５３は、ＬＥＤドライバ４４のＯＮ／ＯＦＦの制御を行うための１ビットのデータを保持するものであり、ＢＬＡＮＫ信号が消灯モードを示すときにはこのデータレジスタ５３はＬＥＤドライバ４４をＯＦＦ状態に制御するデータを保持し、ＢＬＡＮＫ信号が点灯モードを示すレベルに変化した後のＧＳＣＬＫ信号の立上りでＬＥＤドライバ４４をＯＮ状態に制御するデータを保持する。
【００５８】
そして、パルスカウンタ５１におけるＧＳＣＬＫ信号のパルスのカウント値がデータラッチ４５に保持されている値を同じになると、コンパレータ５２が一致信号をデータレジスタ５３に出力し、その一致信号によりデータレジスタ５３はＬＥＤドライバ４４をＯＦＦ状態に制御するデータを保持することとなる。尚、データラッチ４５におけるデータがＬＥＤランプの非点灯を示しているときには、データレジスタ５３はＬＥＤドライバ４４をＯＮ状態に制御するデータを保持することはない。
【００５９】
ＬＥＤドライバ４４は、ＢＬＡＮＫ信号が点灯モードを示すときにＬＥＤランプへの通電を行い、消灯モードを示すときには通電を停止するが、点灯すべきＬＥＤランプに対し、データレジスタ５３内の記憶データが示す値に応じた期間だけ間欠的に通電し、階調表示を行う。
【００６０】
この定電流セグメントドライバ４３では、前段のＧＳＣＬＫ信号が、内蔵のデータディレイ４２aで所定の遅延時間遅らされて後段の定電流セグメントドライバへのＧＳＣＬＫ信号(ＧＳ＿ＤＬＹ)として出力されており、また、入力されたＢＬＡＮＫ信号も、データディレイ４２bで所定の遅延時間遅らされて後段へのＢＬＡＮＫ信号(ＢＬＫ＿ＤＬＹ)として出力されている。従って、ＯＵＴ1端子〜ＯＵＴm端子に接続されたＬＥＤランプの点灯期間は、前段のＬＥＤパネルから後段のＬＥＤパネルへ向けて、所定の遅延時間だけ順次遅れて伝達される。
【００６１】
上述した実施例においては、ＬＥＤランプのカソード側を駆動するドライバに定電流ドライバを設ける構成としているが、ＬＥＤランプのアノード側を駆動するドライバに定電流ドライバを設ける構成としてもよい。この場合の駆動方法は、上述した実施例と同様になる。
【００６２】
【発明の効果】
複数個のＬＥＤ駆動装置を使用して、多数のＬＥＤパネルを動作させる場合に、ＬＥＤランプへの通電開始時期と通電停止時期とをずらしたので、ＬＥＤ表示装置全体での電流変化量を小さくすることができる。従って、配線や電源の負担を小さくすることができる。
【００６３】
また、従来は、配線等のインダクタンス成分により、通電の開始及び停止を行う際の逆起電力によるノイズのため、データが書き換えられ、表示が乱れたり、周辺回路に誤動作が生じていたが、本発明によれば、電流変化が小さいので、ノイズの発生を防止することが可能となる。
【図面の簡単な説明】
【図１】  本発明のＬＥＤランプ駆動方法を説明するためのブロック図
【図２】  本発明の駆動電流供給回路の一例を示すブロック図
【図３】  本発明の駆動電流供給回路の他の例を示すブロック図
【図４】  本発明の駆動電流供給回路の接続方法を説明するための図
【図５】  従来技術のＬＥＤ表示装置
【符号の説明】
１２……ＬＥＤ表示装置
１７……ＬＥＤランプ
１５1、１５2……ＬＥＤパネル
１３1、１３2、２３、４３、５３1、５３2、５３3……駆動電流供給回路
【図１】
0003647550.tif 000002
【図２】
0003647550.tif 000003
【図３】
0003647550.tif 000004
【図４】
0003647550.tif 000005
【図５】
0003647550.tif 000006